(57)【要約】【課題】キーの操作性がよく、美観上の制約がなく、さらに組立作業も容易且つ確実に行うことが可能な電話機を提供すること。【解決手段】基板１４上に設けられた複数のスイッチ２３、２３’と、複数のスイッチを独立して作動させるように複数のスイッチに対応して配置された複数のキーと、キーを露出する開口を備えるフロントケース１２とフロントケースに係合するリアケース１３とからなる筐体２と、複数のキーのうち所定距離離間して配設されたいくつかのモード選択キー８を連結する連結杆１９と、連結杆の中間近傍に形成された連結杆側係止部２０と、フロントケースに設けられて連結杆側係止部と係合し連結杆を固定するケース側係止部２２と、を備え、連結杆は曲線状に形成されることにより可撓性が付与されており、連結杆により特定キーが開口内で作動可能に位置決めされている。【選択図】  図２
2009077328.tif 000002
【特許請求の範囲】
【請求項１】
基板上に設けられた複数のスイッチと、
該複数のスイッチを独立して作動させるように該複数のスイッチに対応して配置された複数のキーと、
該キーを露出する開口を備える第１ケースと該第１ケースに係合する第２ケースとからなる筐体と、
前記複数のキーのうち、所定距離離間して配設されたいくつかの特定キーを連結する連結杆と、
前記連結杆の中間近傍に形成された連結杆側係止部と、
前記第１ケースに設けられて前記連結杆側係止部と係合し前記連結杆を固定するケース側係止部と、を備え、
前記連結杆は曲線状に形成されることにより可撓性が付与されており、該連結杆により前記特定キーが前記開口内で作動可能に位置決めされていることを特徴とする電話機。
【請求項２】
前記複数のスイッチと前記複数のキーとの間には、前記キーを裏面から押し上げる膨出部を有するラバーシートが設けられていることを特徴とする請求項１に記載の電話機。
【請求項３】
前記連結杆側係止部は貫通孔からなり、前記ケース側係止部は前記貫通孔に挿通される突起からなることを特徴とする請求項１に記載の電話機。
【請求項４】
前記特定キー、前記連結杆及び前記連結杆側係止部は合成樹脂材で一体成型されていることを特徴とする請求項１に記載の電話機。
【発明の詳細な説明】
【技術分野】
【０００１】
本発明は例えば固定式電話機の子機等の電話機に係り、特に、キーの操作性がよく、組み立ての際にもキーの位置決めが容易な電話機に関する。
【背景技術】
【０００２】
通常、固定式電話機の子機や携帯電話機等の電話機は、その形状が小型であり、狭い操作面に多数の操作ボタンが配されている。従来、この種の電話機として、例えば下記特許文献１に開示されたものがある。これは、操作面の上方部分に十字キーと、その周囲にモード選択キーとが配置され、操作面の下方部分にテンキーが配置されている。これらのキーは操作面上にケースの開口を介して臨まされた操作ボタンを備え、これらの操作ボタンを押圧したときに筐体に内蔵された基板上のスイッチを作動させるものである。
【０００３】
このような電話機の組み立てに際しては、操作ボタンを夫々開口に臨ませるため、ケース取付けの前に全てのキーを予め基板上に位置決め配置しておき、その後、ケースを取付けて夫々の開口に操作ボタンを臨ませて組み込む。この際、これらのキーの位置決めが正確に行われないと確実な組み込みがなされない。
【０００４】
そこで、従来は、下記特許文献２に開示されているように全ての操作ボタンが共通の弾性部材上に設けられたものが提案されている。これは板状の弾性部材、すなわちラバーシートの所定箇所を膨出させて操作ボタンとしたものであり、全ての操作ボタンを一体に成型することによって形成されている。また、操作ボタン上面にはキーの表示が施されている。組み立ては、プリント基板上にラバーシートを載置し、ラバーシートの前面からケースを当てて開口に押しつけてボタンを臨ませる。そして、ケースを固定することにより組み立てを完了させている。
【０００５】
上述したように、下記特許文献２に開示された従来技術は、操作ボタンが独立されておらず予め共通のゴム部材からなるラバーシート上に位置決めされて形成されているので、組み立て作業が迅速に且つ確実に行うことができるという利点がある。
【特許文献１】特開２００７−１９９３７号公報（段落［００２５］、図１）
【特許文献２】特開２００３−８７０８号公報（段落［００４０］〜［００４６］、図２）
【発明の開示】
【発明が解決しようとする課題】
【０００６】
しかしながら、上記特許文献２に開示されているような共通のラバーシート上に操作ボタンを形成した電話機は、操作ボタン自体が弾性材料で形成されるために操作上の感触や美観上好ましいものであるとはいえない。そのため、このような従来技術を採用するには制限があった。
【０００７】
一方、上記特許文献１に開示されている従来技術にあっては、組み立ての際にキーを独立して位置決めする必要があるものの、その材料は特に制限されない。ただし、この場合、比較的に間隔を置いて配置されるキーは位置決めをしてもケースから脱落してしまい組み立て作業に困難を伴っていた。
【０００８】
本発明は上記問題点に鑑みてなされたものであって、本発明の目的は、キーの操作性がよく、美観上の制約がなく、さらに組立作業も容易且つ確実に行うことが可能な電話機を提供することにある。
【０００９】
また、本発明の他の目的は、複数のキーを一体成型した状態で、どのキーを操作してもその他のキーに悪影響を与えることがない電話機を提供することにある。
【課題を解決するための手段】
【００１０】
前記課題を解決するために、本願の請求項１に係る電話機の発明は、基板上に設けられた複数のスイッチと、該複数のスイッチを独立して作動させるように該複数のスイッチに対応して配置された複数のキーと、該キーを露出する開口を備える第１ケースと該第１ケースに係合する第２ケースとからなる筐体と、前記複数のキーのうち、所定距離離間して配設されたいくつかの特定キーを連結する連結杆と、前記連結杆の中間近傍に形成された連結杆側係止部と、前記第１ケースに設けられて前記連結杆側係止部と係合し前記連結杆を固定するケース側係止部と、を備え、前記連結杆は曲線状に形成されることにより可撓性が付与されており、該連結杆により前記特定キーが前記開口内で作動可能に位置決めされていることを特徴とする。
【００１１】
また、本願の請求項２に係る発明は、請求項１に記載の電話機において、前記複数のスイッチと前記複数のキーとの間には、前記キーを裏面から押し上げる膨出部を有するラバーシートが設けられていることを特徴とする。
【００１２】
また、本願の請求項３に係る発明は、請求項１に記載の電話機において、前記連結杆側係止部は貫通孔からなり、前記ケース側係止部は前記貫通孔に挿通される突起からなることを特徴とする。
【００１３】
また、本願の請求項４に係る発明は、請求項１に記載の電話機において、前記特定キー、前記連結杆及び前記連結杆側係止部は合成樹脂材で一体成型されていることを特徴とする。
【発明の効果】
【００１４】
本発明は、上述した解決手段により以下に述べるとおりの優れた効果を奏する。すなわち、本願の請求項１に係る発明によれば、第１に、離れた位置にあって夫々独立に操作される特定キーが連結杆により連結されると共にこの連結杆に形成された連結杆側係止部によりその中間近傍でケースに固定されているので、ケースから脱落することなく、しかも位置決めをされた状態で維持される。そのため、複数のキーを筐体に組み込む組立作業が迅速且つ確実に行うことができる。また、連結杆は杆状であるので占有面積を多く必要とせず、しかも他の部材を避けて配置することが容易であるので、他の部材が入り組んで配置されている狭い箇所への適用が容易となる。
【００１５】
第２に、連結杆はその中間近傍でケースに固定されているとともに、曲線状に形成されて可撓性が付与されているので、特定キーのうちの１つが押圧によって動かされたときには、この押圧による変位が連結杆によってほとんど吸収されるとともにこの連結杆の可撓状態が中間の固定部分で遮断され他の特定キーを動かすことがない。従って、押圧操作された特定キー以外の特定キーが追従して動作することによりスイッチが誤動作することを確実に防止できる。
【００１６】
また、本願の請求項２にかかる発明によれば、キーとは別個に弾性材からなるラバーシートを設けたので、キー自体に弾性を付与する必要がなくなり、キーとして操作性及び美観の良好な材料を採用することができる。また、キーに記号、数字などの表示を施すのに適した材料を選定することもできる。
【００１７】
また、本願の請求項３に係る発明によれば、連結杆側には貫通孔を形成し、ケース側には突起を形成して、貫通孔に突起を挿通するだけで連結杆をケースに固定できる。そのため、簡単な構成の連結杆側結合部とケース側結合部が得られると共に、キーの位置決め作業が容易にできる。
【００１８】
また、本願の請求項４に係る発明によれば、合成樹脂材を用いて特定キーと連結杆と連結杆側係止部とを一体成型できるので、押圧操作に適した特定キーが連結杆と連結杆側係止部と共に簡単に形成できる。
【発明を実施するための最良の形態】
【００１９】
以下、本発明の具体例を実施例及び図面を用いて詳細に説明する。ただし、以下に示す実施形態は、本発明の技術思想を具体化するための一実施の形態を例示するものであって、本発明をこの実施の形態に特定することを意図するものでなく、特許請求の範囲に含まれるその他の実施形態のものにも等しく適用し得るものである。
【実施例】
【００２０】
以下、本発明の実施例について図面を参照して説明する。なお、以下に示す実施例においては、電話機として、固定式電話機の子機に本発明を採用したものについて説明を行う。図１は本発明の実施例に係る電話機の正面図である。図２Ａは図１のＡ−Ａ線断面図であり、図２Ｂは図１のＢ−Ｂ線断面図である。図３は一体形成された複数のモード選択キーを示す平面図である。
【００２１】
本実施例に係る電話機１は、図１で示すように、筐体２の前面において、上方にスピーカ３、このスピーカ３の下方に表示部４、下半分に操作面５、そして最下方にマイク６が配置されている。
【００２２】
操作面５の上方部分には、比較的大きな十字キー７と、十字キー７の周辺に配置された４個の特定キーとしてのモード選択キー８が配置されている。このモード選択キー８は十字キー７を囲むようにして互いに離間して配置されている。また、十字キー７の中央には決定キー９が配置されている。また、操作面５の下方部分には、テンキー１０が配置されている。
【００２３】
筐体２は、図２に示すように、フロントケース（第１ケース）１２とリアケース（第２ケース）１３とによって形成されている。フロントケース１２は外周囲から所定長さ垂下した側壁１２１を有しており、リアケース１３は外周囲から所定高さ立設した側壁１３１を有している。また、筐体２内には電話機１の各種制御を行う基板１４が内蔵されている。そしてこの基板１４の前面には柔軟な弾性材で形成されたラバーシート１５が配置されている。なお、基板１４はフロントケース１１にビス等を用いて固定されている。
【００２４】
ラバーシート１５は、操作面５部分全体に亘って形成されるシリコンゴム等の柔軟な弾性材からなる板状体で形成され、その前面には、モード選択キー８及びテンキー１０が頂部に載置されるように前方へ隆起した略矩形状の膨出部１７が設けられている。この膨出部１７は、頂面が押圧されるとへこみ、この押圧を解除すると弾性力によって元の状態に復帰するようになっている。そして、この膨出部１７の裏面には磁性片１８が付されている。これらの膨出部１７に対応した基板１４には、磁性片１８が接近されたことを検知して作動する近接スイッチ２３が配置されている。また、十字キー７、決定キー９に対応した基板１４には、押圧力によって作動するスイッチ２３’が配置されている。
【００２５】
モード選択キー８は、図３に示すように、膨出部１７に当接する平板８１と、操作面５上に臨まされるボタン８２とからなる。また、この平板８１は連結杆１９によって連結され、そして、互いに所定距離離間した状態で位置されている。
【００２６】
連結杆１９は、十字キー７とフロントケース１２の縁との間に生ずる間隙と、十字キー７と他の部材との間に生ずる間隙を利用して配置されている。そして、この連結杆１９は可撓性が付与されるように曲線状、すなわち蛇行させて形成されている。また、連結杆１９の中間部分には貫通孔からなる連結杆側係止部２０が形成されている。
【００２７】
モード選択キー８、連結杆１９及び連結杆側係止部２０は透明な合成樹脂材（例えばゴム材等を混入して弾性を持たせたアクリル）で一体形成されている。また、平板８１の裏面は不透明になっており、この平板８１の表面に各ボタン８２の機能を示す記号が記されている。そして、記号は透明なボタン８２を通してモード選択キー８の正面から見られるようになっている。
【００２８】
テンキー１０は、図２Ｂで示すように、膨出部１７に当接する平板１０１と、操作面５上に臨まされるボタン１０２とからなる。このテンキー１０は、図示しない連結杆によって作動可能な状態で一体に連結されている。また、このテンキー１０もモード選択キー８と同様に合成樹脂材で形成されており、平板１０１の裏面は不透明になっており、この平板１０１の表面に各ボタン１０２の機能を示す記号（数字）が記されている。そして、記号は透明なボタン１０２を通してテンキー１０の正面から見られるようになっている。
【００２９】
フロントケース１２の裏面には連結杆側係止部２０に係合するケース側係止部２２が設けられている。このケース側係止部２２は貫通孔からなる連結杆側係止部２０に挿通する突起によって構成されている。従って、モード選択キー８の連結杆１９は中間部分でフロントケース１２に固定されるようになっている。また、テンキー１０も同様に、図示しない連結杆によりフロントケース１２に固定されるようになっている。
【００３０】
次に、上述した実施例における電話機１の組み立てについて説明する。
【００３１】
まず、フロントケース１２の裏側に一体成型された複数のモード選択キー８を位置させ、ボタン８２をフロントケース１２の所定位置に予め設けられた開口に挿入する。同時に、連結杆側係止部２０にフロントケース側係止部２２を挿通させることにより、連結杆１９の中間部分をフロントケース１２に係止させる。これにより、モード選択キー８は夫々のボタン８２がフロントケース１２の開口によって操作面５上に臨まされ位置決めされる。そして、位置決めされたモード選択キー８は、可撓性を有する連結杆１９によって作動可能になっている。
【００３２】
次にテンキー１０も同様に、フロントケース１２の裏側に位置させ、夫々のボタン１０２をフロントケース１２の所定位置に予め設けられた開口に挿入し、連結杆の複数箇所をフロントケース１２に係止させる。これにより、テンキー１０は夫々のボタン１０２がフロントケース１２の開口によって操作面５上に臨まされ位置決めされる。位置決めされたテンキー１０は、可撓性を有する連結杆によって可動可能になっている。
【００３３】
モード選択キー８及びテンキー１０が取付けられると、十字キー７に決定キー９を取付けた状態でフロントケース１２の所定位置に予め設けられた開口に挿入する。そして、これら十字キー７、モード選択キー８及びテンキー１０を取付けた状態でフロントケース１２裏面からラバーシート１５を載置し、ラバーシート１５の膨出部１７の頂面とこれらのキーの平板８１及び１０１を当接される。なお、予めラバーシート１５にフロントケース１２のケース側係止部２２の端部を支持する係止部支持部材１５１を設けておくと、ラバーシート１５が取付けられた段階で各種キーの外れ等が発生しなくなるので各種キーの位置決めをより強固に行えるようになる。
【００３４】
そして、ラバーシート１５の上から基板１４を当ててこの基板１４をフロントケース１２に固定する。このように基板１４がフロントケース１２に固定されることで、十字キー７、モード選択キー８、決定キー９及びテンキー１０は筐体２に作動可能に固定される。ちなみに、基板１４には予め表示部４に固定される表示パネル、スピーカ３及びマイク６等を取付けておくと好ましい。また、図示しないバッテリー等のその他の構成についても適宜取付けを行っておく。
【００３５】
最後にフロントケース１２とリアケース１３とをその側壁１２１、１３１同士を噛合させることで一体にして組み立てを完了させる。
【００３６】
上述したように、本実施例の電話機１によれば、離れた位置にあって夫々独立に操作されるモード選択キー８は、それぞれのモード選択キー８間のほぼ中間部分でフロントケース１２に固定されているので、フロントケース１２から脱落することがなく、しかも位置決めされた状態で維持される。また、この位置決めは、連結杆側係止部２０にケース側係止部２２を挿通するだけで済むので簡単に行うことができる。そのため、離れた位置にある複数のモード選択キー８は組み込みの際に一度に簡単に位置決めされるので、電話機１は迅速に組み立てられるようになる。
【００３７】
また、ケース側係止部２２は連結杆側係止部２０の貫通孔に挿入するだけの非常に小径且つ短いものでよい。したがって、この突起は十字キー７と側壁１２１との間、十字キー７と表示部４との間及び十字キー７とテンキー１０との間の非常に小さなスペースにも形成することが可能なため、筐体２の幅を大きくすることなく形成できる。また、同様に、連結杆１９は杆状であるので占有面積を多く必要とせず、また、他の部材を避けて配置することが容易であるので、他の部材が入り組んで配置されている狭い箇所へ設けることができる。したがって、連結杆１９を上述のような構成とすることで筐体２の小型化を実現できる。
【００３８】
更に、連結杆１９は曲線状に形成されて可撓性が付与されているので、いずれかのモード選択キー８が押圧された際にはそのモード選択キー８の移動に伴ってバネのように湾曲する。また、連結杆１９はその中間近傍でフロントケース１２に固定されている。したがって、複数のモード選択キー８のうちの何れかが押圧されたときには、連結杆１９部分でモード選択キー８の押圧による変位はほとんど吸収されるとともに、連結杆１９の可撓状態が中間の固定部分で遮断され押圧されていない他のモード選択キー８にまで影響を及ぼすことがない。よって、押圧されたモード選択キー８以外のモード選択キー８が、押圧されたモード選択キー８に追従して動作することで発生する近接スイッチ２３の誤動作を確実に防止できる。
【００３９】
さらにまた、モード選択キー８を含む各種キーは弾性材からなるラバーシート１５と別体で形成されているので、各種キーに適した材料を自由に選択して採用することができる。すなわち、例えば本実施例に示すような電話機１は筐体２内に設けた光源を用いて作動時に各種キーを照明し、操作性及び美観を向上させることが行われているが、そのような構成も簡単に採用することができるようになる。
【００４０】
なお、上述した本発明の実施例においては、連結杆側係止部２０は連結杆１９のほぼ中央部に設けたが、本発明はこれに限定されることなく、他の部材を避けて中間の位置からずらして中間近傍に設けるようにしてもよい。
【００４１】
なお、上述した本発明の実施例においては、電話機１を固定式電話の子機に適用した場合について説明したが、本発明はこれに限定されることなく、携帯電話機、その他の電話機に適用することも可能である。
【図面の簡単な説明】
【００４２】
【図１】図１は本発明の実施例に係る電話機の正面図である。
【図２】図２Ａは図１のＡ−Ａ線断面図であり、図２Ｂは図１のＢ−Ｂ線断面図である。
【図３】図３は一体形成された複数のモード選択キーを示す平面図である。
【符号の説明】
【００４３】
１              電話機
２              筐体
３              スピーカ
４              表示部
５              操作面
６              マイク
７              十字キー
８              モード選択キー
９              決定キー
１０            テンキー
１２            フロントケース
１３            リアケース
１４            基板
１５            ラバーシート
１７            膨出部
１８            磁性片
１９            連結杆
２０            連結杆側係止部
２２            ケース側係止部
８１、１０１    平板
８２、１０２    ボタン
１２１、１３１  側壁
【図１】
2009077328.tif 000003
【図２】
2009077328.tif 000004
【図３】
2009077328.tif 000005